【事件の表示】
　特願２０１６−５５７９８８「非白色光の一般的な照明装置を含む手術システム」拒絶査定不服審判事件〔平成２７年　９月２４日国際公開、ＷＯ２０１５／１４２８００、平成２９年　４月２０日国内公表、特表２０１７−５１１１７６〕について、次のとおり審決する。
【結　論】
　本件審判の請求は、成り立たない。
【理　由】
１　手続の経緯
　本件出願（以下「本願」と記す。）は、２０１５年３月１７日（パリ条約による優先権主張　２０１４年３月１７日　米国）を国際出願日とする出願であって、平成３１年１月２８日付けで拒絶理由が通知され、令和元年５月７日付けで意見書及び手続補正書が提出され、同年８月２２日付け（送達日：同年９月３日）で拒絶査定されたところ、同年１２月３日に拒絶査定不服審判の請求がなされるとともに同時に手続補正がなされたものである。
２　令和元年１２月３日付けの手続補正についての補正の却下の決定
〔補正の却下の決定の結論〕
　令和元年１２月３日付けの手続補正（以下「本件補正」という。）を却下する。
〔理由〕
（１）補正の内容
　本件補正は、特許請求の範囲を補正するものであって、その補正内容は、特許請求の範囲について、請求項１を令和元年５月７日付け手続補正書に記載された以下の請求項１（以下「本願発明１」という。）
「【請求項１】
　機器であって、当該機器は、
　カメラであって、該カメラは、該カメラに入射する光を画素のセットに分離するように構成され、前記画素のセットの各セットは、前記カメラの異なるカラーチャンネルにある、カメラと、
　複数の色成分の照明源を有する照明装置であって、前記複数の色成分の照明源は、該照明装置が非白色光を出力し、それによって前記カメラの各カラーチャンネルが、完全な反射面から反射した前記非白色光に対して略等しい応答を有するよう構成される、照明装置と、
　前記複数の色成分の照明源に結合された制御装置であって、該制御装置は、前記複数の色成分の照明源の出力の組合せが前記非白色光となるように、前記複数の色成分の照明源の１つ又は複数によって出力される光の照明強度を調節するように構成される、制御装置と、を備える、
　機器。」
から、以下の請求項１（以下「本願補正発明１」という。）
「【請求項１】
　機器であって、当該機器は、
　カメラであって、該カメラは、該カメラに入射する光を画素のセットに分離するように構成され、前記画素のセットの各セットは、前記カメラの異なるカラーチャンネルにある、カメラと、
　複数の色成分の照明源を有する照明装置であって、前記複数の色成分の照明源は、該照明装置が非白色光を出
力す
　前記複数の色成分の照明源に結合された制御装置であって、該制御装置は、前記複数の色成分の照明源の出力の組合せが前記非白色光とな
り且つ前記カメラの各カラーチャンネルが完全な反射面から反射した前記非白色光に対して略等しい応答を有す
　機器。」
（下線は補正箇所を示す。）
に補正するものを含むものである。
　
（２）本件補正の目的
　本件補正のうち、請求項１についての補正は、請求項１に記載した発明を特定するために必要な事項である、「照明装置」について「複数の色成分の照明源を有する照明装置であって、前記複数の色成分の照明源は、該照明装置が非白色光を出力し、それによって前記カメラの各カラーチャンネルが、完全な反射面から反射した前記非白色光に対して略等しい応答を有するよう構成される、照明装置」から「複数の色成分の照明源を有する照明装置であって、前記複数の色成分の照明源は、該照明装置が非白色光を出力するよう構成される、照明装置」と表現を変更し、「制御装置」を「前記複数の色成分の照明源に結合された制御装置であって、該制御装置は、前記複数の色成分の照明源の出力の組合せが前記非白色光となるように、前記複数の色成分の照明源の１つ又は複数によって出力される光の照明強度を調節するように構成される、制御装置」から照明装置の構成部分に記載された事項である「それによって前記カメラの各カラーチャンネルが、完全な反射面から反射した前記非白色光に対して略等しい応答を有するよう構成される」の部分を取り込みその事象の発生時期を限定するために「前記複数の色成分の照明源に結合された制御装置であって、該制御装置は、前記複数の色成分の照明源の出力の組合せが前記非白色光となり且つ前記カメラの各カラーチャンネルが完全な反射面から反射した前記非白色光に対して略等しい応答を有するように、前記複数の色成分の照明源の１つ又は複数によって出力される光の照明強度を調節するように構成される、制御装置」に限定するものであって、特許法第１７条の２第５項第２号に規定された特許請求の範囲の減縮を目的とするものに該当する。
　
（３）独立特許要件について
　本件補正後の前記本願補正発明１が特許法第１７条の２第６項において準用する同法第１２６条第７項の規定に適合するか（特許出願の際独立して特許を受けることができるものであるか）について以下に検討する。
　
　ア　本願補正発明
　本願補正発明１は、前記「２（１）」に記載したとおりのものである。
　
　イ　引用例
　原査定の拒絶の理由に引用された、本願の優先日前である平成１１年（１９９９年）９月２１日に頒布された刊行物である「特開平１１−２５３４０２号公報」（以下「引用例」という。）には、図面とともに、以下の技術事項が記載されている。
　
（ア）「【０００１】
【発明の属する技術分野】本発明は
内視鏡の先端側に照明手段として固体発光素子を設けた内視鏡装置
　
（イ）「【０００７】
【発明の実施の形態】以下、図面を参照して本発明の実施の形態を説明する。
（第１の実施の形態）図１ないし図３は本発明の第１の実施の形態に係り、図１は第１の実施の形態の内視鏡装置の構成を示し、図２はＬＥＤ発光タイミング信号を示し、図３はＬＥＤを駆動するＬＥＤ駆動信号を示す。
【０００８】図１に示すように本発明の第１の実施の形態の内視鏡装置１Ａは撮像手段を内蔵した内視鏡２Ａと、この内視鏡２Ａと接続され、信号処理を行うビデオプロセッサ３Ａと、このビデオプロセッサ３から出力される
映像信号を表示するカラーモニタ４
【０００９】内視鏡２Ａは細長の挿入部５と、この挿入部５の後端に設けられた操作部６と、この操作部６から基端が延出されたユニバーサルコード７とを有し、このユニバーサルコード７の先端にはコネクタ８が設けてあり、このコネクタ８はビデオプロセッサ３のコネクタ受け９に着脱自在で接続される。
【００１０】挿入部５の先端部１１には、
照明光源１２が設けてある。この照明光源１２は赤、緑、青（Ｒ，Ｇ，Ｂで略記）の３色でそれぞれ発光する固体発光素子としての発光ダイオード（ＬＥＤと略記）１３Ｒ，１３Ｇ，１３Ｂと、これらに対向する照明窓に取り付けられ、光を拡開して出射する照明レンズ１４とからなる
【００１１】また、このＬＥＤ１３Ｒ，１３Ｇ，１３Ｂの付近にはこれらを駆動する駆動回路としてのＬＥＤドライバ１５が配置されている。」
（ウ）「【００５４】（第３の実施の形態）次に本発明の第３の実施の形態を図９の内視鏡装置を参照して説明する。図９に示す本実施の形態の内視鏡装置１Ｃは、例えば図１に示す第１の実施の形態において、内視鏡２Ａの代わりに、
硬性内視鏡３１と、この硬性内視鏡３１に装着されたカメラヘッド３２とからなるカメラ外付け内視鏡３３を採用したものである
【００５５】
硬性内視鏡３１は硬質の挿入部３５を有し、この挿入部３５の後端には接眼部３６が設けてある。挿入部３５の先端部には図１の内視鏡２Ａと同様にＬＥＤ１３Ｒ，１３Ｇ，１３Ｂ（図９ではこれらを符号１３で示す）と、
照明レンズ１４とが設けてあり、
【００５６】
この第１の接点部３７はカメラヘッド３２の対応する位置に設けた第２の接点部３８に接続され、この第２の接点部３８に接続されたケーブル３９はカメラヘッド３２からその基端が延出されたカメラケーブル４０内を挿通され、カメラケーブル４０の先端に設けたコネクタ４１の接点ピンに至る。このコネクタ４１はビデオプロセッサ（或いはカメラコントロールユニット）３Ａのコネクタ受け９に着脱自在で接続される。
【００５７】
また、挿入部３５の先端部には対物レンズ２１が設けてあり、この対物レンズ２１の像はリレー光学系４２により接眼部３６側に伝送され、接眼レンズ４３を介して拡大観察できる。
【００５８】
また、カメラヘッド３２が装着された場合にはこの接眼レンズ４３に対向する位置に設けた結像レンズ４４を介してＣＣＤ２２に結像できるようにしている。このＣＣＤ２２に接続されたケーブル２３はカメラケーブル４０内を挿通され、コネクタ４１の接点ピンに至る。
【００５９】次に本実施の形態の動作を説明する。硬性内視鏡３１の接眼部３６に接続されるカメラヘッド３２は着脱自在になっている。そして接続した状態では第１の接点部３７と第２の接点部３８とが接続され、分離した時には接続が解除される。
【００６０】このようにＬＥＤ発光タイミング信号ＴＲ，ＴＧ，ＴＢをカメラヘッド３２の撮像系と同様にカメラケーブル４０内に挿通することによって、ＬＥＤ発光タイミング信号ＴＲ，ＴＧ，ＴＢを伝送するケーブル１６を硬性内視鏡３１自体から外部に延出しないで、１本のカメラケーブル４０で済むようになっている。
【００６１】従って、このような構成にしないで硬性内視鏡３１自体からケーブル１６を外部に延出した場合には、カメラヘッド３２から延出されるカメラケーブル４０の他に、硬性内視鏡３１から延出されたケーブル１６が内視鏡検査の際に邪魔になることがある。本実施の形態ではこのようなことを解消できる。
【００６２】なお、本実施の形態ではＬＥＤ発光タイミング信号ＴＲ，ＴＧ，ＴＢはケーブル３９と、ケーブル１６とを経てＬＥＤドライバ１５に伝送される。
【００６３】また、対物レンズ２１による像はリレー光学系４２等を経てＣＣＤ２２に結像される。
【００６４】その他は第１の実施の形態で説明したのと殆ど同様の動作となる。従って、本実施の形態は基本的には第１の実施の形態とほぼ同様の効果を有する。
【００６５】なお、
図９に示す第３実施の形態ではカメラヘッド３２内にはモノクロのＣＣＤ２２を採用しているが、その撮像面の前にモザイクフィルタ４６等の色分離フィルタを取り付けたカラー撮像用ＣＣＤ５２とした場合
【００６６】この
内視鏡装置５１では硬性内視鏡３１の先端部に内蔵したＬＥＤ１３はケーブル１６を介して第１の接点部３７に接続している
【００６７】また、
カメラヘッド３２内にはモノクロのＣＣＤ２２の代わりにカラー撮像用ＣＣＤ５２が配置されている。また、この場合のカメラコントロールユニット５３はＬＥＤ１３を常時駆動或いは点灯する点灯回路５４と、ＣＣＤ駆動回路２４と、ビデオプロセス回路２５と、これらを制御する制御回路５５とを備えている。
【００６８】この内視鏡装置５１ではＬＥＤ１３を常時点灯させる駆動信号を出力する構成にしているので、直流の駆動信号をＬＥＤ１３に印加する。
【００６９】この内視鏡装置５１では図９の内視鏡装置１Ｃで説明したのと類似して、ＬＥＤ駆動信号を伝送する伝送線は硬性内視鏡３１自体から外部に延出しないで、接点部３７，３８を介してカメラヘッド３２から延出されるカメラケーブル４０内を撮像系のケーブル２３と共に挿通されている。
【００７０】
また、ホワイトバランスをとる動作を行うには、硬性内視鏡３１の被写体としてに白いガーゼなどを用意して、その白いガーゼを撮影することにより、白のバランスが崩れている時には、その得られた白いガーゼの像が白になるようなビデオ信号の調整が行われる。この作業を、ホワイトバランスをとるという。
【００７１】このホワイトバランスをとる時には、通常は、ビデオ信号の処理を行うビデオプロセス回路２５内の増幅回路において、青と赤に分離された色信号の増幅度を変えて色バランスをとるということをする。
【００７２】通常、ＣＣＤ２２は青の感度は低く、青の増幅度を上げるとＳＮ比が悪くなるという問題があったが、
本実施の形態の構成によると、ＬＥＤ１３の点灯電流を変えることによって、このホワイトバランスを調整することができるので、ビデオ信号の増幅度を変える方法に代わり、ＬＥＤ１３の点灯電流の赤と青のバランスを変えてやることによって、同様に、ホワイトバランスの調整ができるようになる。
【００７３】そして、
青の色のバランスが低い場合には、青のＬＥＤ１３Ｂの点灯電流を増やすことによって、つまりＬＥＤ１３の点灯電流を変えることによって、ホワイトバランスが変えられる
（エ）[図１０]
（オ）【0007】ないし【0011】及び【0054】ないし【0067】の記載からして図１０には、「
硬性内視鏡３１と、この硬性内視鏡３１に装着されたカメラヘッド３２と、からなるカメラ外付け内視鏡３３と、カメラヘッド３２からその基端が延出されたカメラケーブル４０の先端に設けたコネクタ４１とコネクタ受け９で接続するカメラコントロールユニット５３と、カメラコントロールユニット５３に接続された映像信号を表示するカラーモニタ４と、からなる内視鏡装置５１
（カ）【0058】，【0065】及び【0067】の記載からして図１０には、「
カラー撮像用ＣＣＤ５２に接続されたケーブル２３はカメラケーブル４０内を挿通され、コネクタ４１の接点ピンに至る
　上記引用例の記載事項及び図面を総合勘案すると、引用例には、次の発明（以下「引用発明」という。）が記載されていると認められる。
　
「内視鏡の先端側に照明手段として固体発光素子を設けた内視鏡装置において、
　内視鏡装置５１は、硬性内視鏡３１と、この硬性内視鏡３１に装着されたカメラヘッド３２と、からなるカメラ外付け内視鏡３３と、カメラヘッド３２からその基端が延出されたカメラケーブル４０の先端に設けたコネクタ４１とコネクタ受け９で接続するカメラコントロールユニット５３と、カメラコントロールユニット５３に接続された映像信号を表示するカラーモニタ４と、を備え、
　硬性内視鏡３１は硬質の挿入部３５を有し、この挿入部３５の後端には接眼部３６が設けてあり、挿入部３５の先端部には赤、緑、青（Ｒ，Ｇ，Ｂで略記）の３色でそれぞれ発光する固体発光素子としての発光ダイオード（ＬＥＤと略記）ＬＥＤ１３Ｒ，１３Ｇ，１３Ｂ（これらを符号１３で示す）と、これらに対向する照明窓に取り付けられ、光を拡開して出射する照明レンズ１４とが設けてあり、ＬＥＤ１３はケーブル１６を介して第１の接点部３７に接続されており、この第１の接点部３７はカメラヘッド３２の対応する位置に設けた第２の接点部３８に接続され、この第２の接点部３８に接続されたケーブル３９はカメラヘッド３２からその基端が延出されたカメラケーブル４０内を挿通され、カメラケーブル４０の先端に設けたコネクタ４１の接点ピンに至り、このコネクタ４１はカメラコントロールユニット５３のコネクタ受け９に着脱自在で接続され、また挿入部３５の先端部には対物レンズ２１が設けてあり、この対物レンズ２１の像はリレー光学系４２により接眼部３６側に伝送され、接眼レンズ４３を介して拡大観察でき、
　カメラヘッド３２は、硬性内視鏡３１に装着された場合には接眼レンズ４３に対向する位置に設けた結像レンズ４４を介して、モノクロのＣＣＤの撮像面の前にモザイクフィルタ４６等の色分離フィルタを取り付けたカラー撮像用ＣＣＤ５２に結像できるようにしており、このカラー撮像用ＣＣＤ５２に接続されたケーブル２３はカメラケーブル４０内を挿通され、コネクタ４１の接点ピンに至り、
　カメラコントロールユニット５３は、ＬＥＤ１３を常時駆動或いは点灯する点灯回路５４と、ＣＣＤ駆動回路２４と、ビデオプロセス回路２５と、これらを制御する制御回路５５とを備えており、ＬＥＤ１３を常時点灯させる駆動信号を出力する構成にしているので、直流の駆動信号をＬＥＤ１３に印加しており、
　ホワイトバランスをとる作業において、硬性内視鏡３１の被写体として白いガーゼなどを用意して、その白いガーゼを撮影することにより、白のバランスが崩れている時には、その得られた白いガーゼの像が白になるようなビデオ信号の調整が行われるのであるが、ビデオ信号の増幅度を変える方法に代わり、ＬＥＤ１３の点灯電流の赤と青のバランスを変えてやることによって、同様に、ホワイトバランスの調整ができるようになっており、青の色のバランスが低い場合には、青のＬＥＤ１３Ｂの点灯電流を増やすことによって、つまりＬＥＤ１３の点灯電流を変えることによって、ホワイトバランスが変えられるものである、
内視鏡装置５１。」
　
　ウ　対比
　本願補正発明１を、引用発明と比較する。
　（ア）引用発明の「内視鏡装置」は、本願補正発明１における「機器」に相当する。
　（イ）引用発明における「カメラヘッド３２」は、「結像レンズ４４を介して、モノクロのＣＣＤの撮像面の前にモザイクフィルタ４６等の色分離フィルタを取り付けたカラー撮像用ＣＣＤ５２に結像」して撮影を行い、「このカラー撮像用ＣＣＤ５２に接続され」「カメラケーブル４０内を挿通され、コネクタ４１の接点ピンに至」る「ケーブル２３」により撮像信号を「コネクタ受け９で接続するカメラコントロールユニット５３」に送信している。よって、引用発明における「カメラヘッド３２」と「カメラケーブル４０」を合わせたものは、本願補正発明１における「カメラ」に相当する。
　（ウ）引用発明における「赤、緑、青（Ｒ，Ｇ，Ｂで略記）の３色でそれぞれ発光する固体発光素子としての発光ダイオード（ＬＥＤと略記）ＬＥＤ１３Ｒ，１３Ｇ，１３Ｂ（これらを符号１３で示す）」は、本願補正発明１における「複数の色成分の照明源」に相当する。
　（エ）引用発明における「硬性内視鏡３１」の「挿入部３５の先端部」に「設け」られた「ＬＥＤ１３」と、「これらに対向する照明窓に取り付けられ、光を拡開して出射する照明レンズ１４」は、硬性内視鏡３１の前方の被写体に光を照射するものであるから、本願補正発明１における「複数の色成分の照明源を有する照明装置」に相当する。
　（オ）引用発明における「ＬＥＤ１３」は、「カメラコントロールユニット５３」から「ＬＥＤ１３を常時点灯させる駆動信号」である「直流の駆動信号を」「印加」されているので、常時点灯しているものであり、また、ホワイトバランスをとる作業において「青の色のバランスが低い場合には、青のＬＥＤ１３Ｂの点灯電流を増やすことによって、つまりＬＥＤ１３の点灯電流を変えることによって、ホワイトバランスが変えられるものである」ことから、青のＬＥＤ１３Ｂのみを点灯電流を変えることにより青の色のバランスを増やす、つまり赤、緑、青の均等発光から青の色のバランスを増やした非白色光を出力することができるものである。よって、引用発明における「ＬＥＤ１３」と「照明レンズ１４」は、本願補正発明１における「非白色光を出力するよう構成される」「照明装置」に相当する。
　（カ）引用発明の「カメラコントロールユニット５３」は、「ＬＥＤ１３を常時駆動或いは点灯する点灯回路５４と、ＣＣＤ駆動回路２４と、ビデオプロセス回路２５と、これらを制御する制御回路５５とを備えており」、「ＬＥＤ１３を常時点灯させる駆動信号を出力する構成にして」「直流の駆動信号をＬＥＤ１３に印加して」いることから、本願補正発明１における「複数の色成分の照明源に結合された制御装置」に相当する。
　すると、本願補正発明１と、引用発明とは、次の点で一致する。
＜一致点＞
「機器であって、当該機器は、
　カメラと、
　複数の色成分の照明源を有する照明装置であって、前記複数の色成分の照明源は、該照明装置が非白色光を出力するよう構成される、照明装置と、
　前記複数の色成分の照明源に結合された制御装置と、
を備える、
　機器。」
　一方で、両者は、次の点で相違する。
＜相違点１＞
　カメラが、本願補正発明１では「該カメラに入射する光を画素のセットに分離するように構成され、前記画素のセットの各セットは、前記カメラの異なるカラーチャンネルにある」のに対し、引用発明では前記構成を備えるかどうか明記されていない点。
＜相違点２＞
　制御装置が、本願補正発明１では、「前記複数の色成分の照明源の出力の組合せが前記非白色光となり且つ前記カメラの各カラーチャンネルが完全な反射面から反射した前記非白色光に対して略等しい応答を有するように、前記複数の色成分の照明源の１つ又は複数によって出力される光の照明強度を調節するように構成される」のに対し、引用発明では「ホワイトバランスをとる作業において、硬性内視鏡３１の被写体として白いガーゼなどを用意して、その白いガーゼを撮影することにより、白のバランスが崩れている時には、その得られた白いガーゼの像が白になるようなビデオ信号の調整が行われるのであるが、ビデオ信号の増幅度を変える方法に代わり、ＬＥＤ１３の点灯電流の赤と青のバランスを変えてやることによって、同様に、ホワイトバランスの調整ができるようになっており、青の色のバランスが低い場合には、青のＬＥＤ１３Ｂの点灯電流を増やすことによって、つまりＬＥＤ１３の点灯電流を変えることによって、ホワイトバランスが変えられるものである」点。
　エ　判断
　前記「ウ」で記載した各相違点について判断する。
　（ア）相違点１について
　　ａ　引用発明における「カメラヘッド３２」内の「カラー撮像用ＣＣＤ５２」は、「モノクロのＣＣＤの撮像面の前にモザイクフィルタ４６等の色分離フィルタを取り付けた」ものである。ここで、ＣＣＤは複数の画素によりそれぞれの画素での光量を電気信号に変換する検出器であり、モザイクフィルタ４６等の色分離フィルタはモザイク状にＲ（赤）Ｇ（緑）Ｂ（青）の色フィルタがちりばめられているフィルタであるから、カラー撮像用ＣＣＤ５２は、各画素ごとにＲ（赤）またはＧ（緑）またはＢ（青）の光量を測定する構成となっている。
　　ｂ　以上のことから、引用発明の「カラー撮像用ＣＣＤ５２」が出力する撮像信号は、Ｒ（赤）のフィルタの後方で受光する画素の信号のみを集めたもの、Ｇ（緑）のフィルタの後方で受光する画素の信号のみを集めたもの、Ｂ（青）のフィルタの後方で受光する画素の信号のみを集めたもの、にそれぞれ分離することができる。
　　ｃ　ゆえに、引用発明における「カラー撮像用ＣＣＤ５２」を備えた「カメラヘッド３２」と「カメラケーブル４０」を合わせたものが出力する撮像信号が、Ｒ（赤）のフィルタの後方で受光する画素の信号のみを集めたもの、Ｇ（緑）のフィルタの後方で受光する画素の信号のみを集めたもの、Ｂ（青）のフィルタの後方で受光する画素の信号のみを集めたもの、にそれぞれ分離することができることは、本願補正発明１における「カメラ」が「入射する光を画素のセットに分離するように構成され」ており、「画素のセットの各セットは、前記カメラの異なるカラーチャンネルにある」ことと同等であると認められることから、前記「ウ」で記載した相違点１は、実質的な相違点でない。
　（イ）相違点２について
　　ａ　引用発明では、「ホワイトバランスをとる作業において、硬性内視鏡３１の被写体として白いガーゼなどを用意して、その白いガーゼを撮影することにより、白のバランスが崩れている時には、その得られた白いガーゼの像が白になるようなビデオ信号の調整が行われるのであるが、ビデオ信号の増幅度を変える方法に代わり、ＬＥＤ１３の点灯電流の赤と青のバランスを変えてやることによって、同様に、ホワイトバランスの調整ができるようになっており、青の色のバランスが低い場合には、青のＬＥＤ１３Ｂの点灯電流を増やすことによって、つまりＬＥＤ１３の点灯電流を変えることによって、ホワイトバランスが変えられるものである」から、引用発明における「青のＬＥＤ１３Ｂの点灯電流を増やすことによって、つまりＬＥＤ１３の点灯電流を変えることによって、ホワイトバランスが変えられ」た状態は、本願補正発明１における「前記複数の色成分の照明源の出力の組合せが前記非白色光とな」る状態である。
　　ｂ　また前記「ａ」の「ホワイトバランスをとる作業」では、「硬性内視鏡３１の被写体として白いガーゼなどを用意して、その白いガーゼを撮影する」こと及び「その得られた白いガーゼの像が白になるよう」に「ＬＥＤ１３の点灯電流の赤と青のバランスを変えてやることによって」「ホワイトバランスの調整」が行われている。これは、白いガーゼにＬＥＤ１３の点灯電流の赤と青のバランスを変えた光、つまり非白色光を当ててその白いガーゼから反射してきた光である非白色光を、対物レンズ２１、リレー光学系４２、接眼レンズ４３、結像レンズ４４を介してカラー撮像用ＣＣＤ５２で撮影し、その撮影で得られた撮像信号をケーブル２３、コネクタ４１、コネクタ受け９、カメラコントロールユニット５３のビデオプロセス回路２５を介してカラーモニタ４で撮影された画像として表示した際に、白いガーゼが白い像となるように調整することである。
　　ｃ　前記「ｂ」において、白いガーゼが白い像となることは、カラーモニタ４に入力される撮像信号の、赤、緑、青それぞれの画像信号が等しい光量の画像信号であることを示している。そして、ビデオ信号の増幅度を変える方法に代えて「ＬＥＤ１３の点灯電流の赤と青のバランスを変えてやることによって」「ホワイトバランスの調整」を行っているのであるから、カラー撮像用ＣＣＤ５２で得られた撮像信号の、赤、緑、青それぞれの画像信号が等しい光量の画像信号であることを示している。
　　ｄ　一方、本願補正発明１の「カメラの各カラーチャンネルが」「反射した前記非白色光に対して略等しい応答を有するように」光の照明強度を調節することは、本願の段落【0063】及び【0064】の説明及び【図２】を参酌すると、複数のカラーチャンネルのそれぞれは概ね同量の光を受け取り、複数のカラーチャンネルの信号がすでに等しいので、画像処理パイプライン２４０におけるホワイトバランス・ステージで、複数のカラーチャンネルのいずれの信号も増幅する必要がないことを生じさせるものである。つまり、画像処理パイプライン２４０に入力される複数のカラーチャンネルのいずれの信号、すなわちカメラ２２０Ｒ，２２０Ｌから画像パイプライン２４０に出力される複数のカラーチャンネルのいずれの信号がすでに等しいことを示している。
　　ｅ　前記「ｄ」を踏まえると前記「ａ」乃至「ｃ」で検討した引用発明における「ホワイトバランスをとる作業」は、「青のＬＥＤ１３Ｂの点灯電流を増やすことによって、つまりＬＥＤ１３の点灯電流を変えることによって、ホワイトバランスが変えられ」た状態で撮影された白いガーゼがカラーモニタ４上で白い像として表示されるよう、すなわちカラー撮像用ＣＣＤ５２で得られた撮像信号の、赤、緑、青それぞれの画像信号が等しい光量の画像信号になるよう、行う作業であるから、この作業は、本願補正発明１における「複数の色成分の照明源の出力の組合せが前記非白色光となり且つ」「カメラの各カラーチャンネルが」「反射した前記非白色光に対して略等しい応答を有するよう」に「複数の色成分の照明源の１つ又は複数によって出力される光の照明強度を調節する」ことと同等のことを行っていると認められる。
　　ｆ　ここで、前記「ｂ」では、撮影対象を白いガーゼとしている。白いガーゼは白色であるとは認められるものの、本願補正発明１でいう「完全な反射面」かどうかは定かではない。
　　ｇ　本願補正発明1における「完全な反射面」については、本願の発明の詳細な説明の【0016】【0023】【0027】に記載があり、また、【0059】には「白色（完全反射）面」と、【0063】には「白（完全反射）面」という記載がある。よって、本願補正発明１における「完全な反射面」は「白色面」や「白面」が実施例として挙げられていることが分かる。
　　
　　ｈ　引用発明における「白いガーゼ」がどの程度白いかは定かではないが、ホワイトバランスの調整の際に被写体として採用され、正しいホワイトバランスとなった際にカラーモニタ４で白く見えることを期待されるものである。よって、引用発明において、白いガーゼの代わりに完全な反射面である、白色面や白面を採用することは、当業者が適宜なしうる設計変更にすぎず、当業者が容易になしえたことである。
　（ウ）本願補正発明１の効果について
　本願補正発明１の効果は、引用発明から当業者が予測しうる程度のものにすぎない。
　オ　小括
　したがって、本願補正発明１は、引用発明に基いて当業者が容易に発明をすることができたものであるから、特許法第２９条第２項の規定により、特許出願の際独立して特許を受けることができないものである。
　
　（４）むすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
　
３　本願発明について
（１）本願発明１
　令和元年１２月３日付けの手続補正は上記のとおり却下されたので、本願の請求項１乃至１２に係る発明は、令和元年５月７日付け手続補正により補正された特許請求の範囲の請求項１乃至１２に記載されたとおりのものであるところ、請求項１に係る発明である本願発明１は、前記「２（１）」にも記載した、次のとおりのものである。
　
「【請求項１】
　機器であって、当該機器は、
　カメラであって、該カメラは、該カメラに入射する光を画素のセットに分離するように構成され、前記画素のセットの各セットは、前記カメラの異なるカラーチャンネルにある、カメラと、
　複数の色成分の照明源を有する照明装置であって、前記複数の色成分の照明源は、該照明装置が非白色光を出力し、それによって前記カメラの各カラーチャンネルが、完全な反射面から反射した前記非白色光に対して略等しい応答を有するよう構成される、照明装置と、
　前記複数の色成分の照明源に結合された制御装置であって、該制御装置は、前記複数の色成分の照明源の出力の組合せが前記非白色光となるように、前記複数の色成分の照明源の１つ又は複数によって出力される光の照明強度を調節するように構成される、制御装置と、を備える、
　機器。」
　
（２）原査定の拒絶の理由
　原査定の拒絶の理由は、この出願の請求項１−１２に係る発明は、その優先日前に日本国内又は外国において、頒布された下記の刊行物に記載された発明に基いて、その優先日前にその発明の属する技術の分野における通常の知識を有する者が容易に発明をすることができたものであるから、特許法第２９条第２項の規定により特許を受けることができない、というものである。
引用文献１：特開平１１−２５３４０２号公報
引用文献２：特開平０８−２２８３４１号公報
引用文献３：国際公開第２０１３／０３１７０１号
（３）引用された刊行物に記載された発明
　原査定の拒絶の理由で引用された刊行物に記載された発明並びにその記載事項は、引用文献１については前記「２（３）イ」で引用例とした刊行物であるから、前記「２（３）イ」に記載したとおりである。
　
（４）対比・判断
　本願発明１は、前記「２（３）」で検討した本願補正発明１から、「制御装置」を「前記複数の色成分の照明源に結合された制御装置であって、該制御装置は、前記複数の色成分の照明源の出力の組合せが前記非白色光となり且つ前記カメラの各カラーチャンネルが完全な反射面から反射した前記非白色光に対して略等しい応答を有するように、前記複数の色成分の照明源の１つ又は複数によって出力される光の照明強度を調節するように構成される、制御装置」から「前記複数の色成分の照明源に結合された制御装置であって、該制御装置は、前記複数の色成分の照明源の出力の組合せが前記非白色光となるように、前記複数の色成分の照明源の１つ又は複数によって出力される光の照明強度を調節するように構成される、制御装置」へと「且つ前記カメラの各カラーチャンネルが完全な反射面から反射した前記非白色光に対して略等しい応答を有するように、」の発明特定事項の記載を取り除いて当該事象の同時発生の限定を削除して拡張し、「照明装置」を「複数の色成分の照明源を有する照明装置であって、前記複数の色成分の照明源は、該照明装置が非白色光を出力するよう構成される、照明装置」から制御装置の発明特定事項として記載された事項を取り込んで「複数の色成分の照明源を有する照明装置であって、前記複数の色成分の照明源は、該照明装置が非白色光を出力し、それによって前記カメラの各カラーチャンネルが、完全な反射面から反射した前記非白色光に対して略等しい応答を有するよう構成される、照明装置」と表現を変更するものである。
　そうすると、本願発明１の構成要件を全て含み、さらに他の構成要件を付加したものに相当する本願補正発明１が、前記「２（３）」に記載したとおり、引用発明に基いて、当業者が容易に発明をすることができたものであるから、本願発明１も、同様の理由により、引用発明に基いて当業者が容易に発明をすることができたものである。
５　むすび
　以上のとおり、本願の請求項１に係る発明は、引用例に記載された発明に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。